(57)【要約】【課題】  上位装置からの印刷データを順番を乱さないで送信でき、上位装置が滞るのを防止する画像形成装置及び画像形成システムを提供する。【解決手段】  本発明は、記録媒体に付記した第１固有識別情報を読み取る用紙固有識別情報読取部と、上位端末からの画像形成情報及び第２固有識別情報を受信する受信部と、前記第１識別情報及び前記第２識別情報を比較し一致するか否かを判別するデータ判別部と、前記第１識別情報及び前記第２識別情報が一致する場合、前記記録媒体に前記上位端末の画像形成情報に基づく画像データを形成する画像形成部と、を備えることを特徴とする。【選択図】  図１
2007203701.tif 000002
【特許請求の範囲】
【請求項１】
記録媒体に付記した第１固有識別情報を読み取る用紙固有識別情報読取部と、
上位端末からの画像形成情報及び第２固有識別情報を受信する受信部と、
前記第１識別情報及び前記第２識別情報を比較し一致するか否かを判別するデータ判別部と、
前記第１識別情報及び前記第２識別情報が一致する場合、前記記録媒体に前記上位端末の画像形成情報に基づく画像データを形成する画像形成部と、
を備えることを特徴とする画像形成装置。
【請求項２】
請求項１に記載の画像形成装置において、
前記画像形成部は、
前記第１識別情報の読み取りの際に入力印刷データを入力する入力部と、
前記データ判別部で前記第１識別情報及び前記第２識別情報が一致しない場合、前記入力印刷データは認証が必要であると判断し、認証印刷処理要求を生成する判断部と、
前記入力画像データ及びその認証情報を格納する記憶部と、
前記認証印刷処理要求に応じて前記入力画像データを生成する印刷処理部と、
を備えることを特徴とする画像形成装置。
【請求項３】
請求項１に記載の画像形成装置に接続される前記上位端末において、
前記第２固有識別情報を記憶する用紙固有識別情報記憶部と、
前記第２固有識別情報を前記受信部へ送信する送信部と、
を備えることを特徴とする上位端末。
【請求項４】
請求項１に記載の画像形成装置及び請求項３に記載の上位端末を備えることを特徴とする画像形成システム。
【発明の詳細な説明】
【技術分野】
【０００１】
本発明は、誤動作防止機能を有する画像形成装置及び画像形成システムに関する。
【背景技術】
【０００２】
従来、この種の誤動作防止機能を有する画像形成装置及び画像形成システムの従来例は、特開平６−１９８２１６号公報（特許文献１）がある。この従来例の場合、記録媒体に記録されたバーコードを読み取り、該当する内容を印刷するものがある。
【０００３】
【特許文献１】特開平６−１９８２１６号公報
【発明の開示】
【発明が解決しようとする課題】
【０００４】
しかしながら、上述のような従来の画像形成装置及び画像形成システムでは、上位装置の印刷の際、印刷データを順序良く送信することができない。そのため、上位装置の印刷機能が渋滞してしまうという欠点がある。
【０００５】
本発明は、このような実情に鑑みてなされたものであり、上位装置から印刷データを順番を乱さないで送信でき、上位装置が滞るのを防止する画像形成装置及び画像形成システムを提供することを目的とする。
【課題を解決するための手段】
【０００６】
上記目的を達成するために、本発明は、記録媒体に付記した第１固有識別情報を読み取る用紙固有識別情報読取部と、上位端末からの画像形成情報及び第２固有識別情報を受信する受信部と、前記第１識別情報及び前記第２識別情報を比較し一致するか否かを判別するデータ判別部と、前記第１識別情報及び前記第２識別情報が一致する場合、前記記録媒体に前記上位端末の画像形成情報に基づく画像データを形成する画像形成部と、を備えることを特徴とする。
【０００７】
このような発明によれば、第１及び第２固有識別情報が一致する場合、上位端末からの画像形成情報に基づく画像データが、優先して画像形成処理される。
【０００８】
また、本発明は、前記画像形成装置及び前記上位端末を備えることを特徴とする画像形成システムであっても良い。
【０００９】
このような発明によれば、画像形成システムにおいて、第２固有識別情報が上位端末を表すように作用する。
【発明の効果】
【００１０】
以上のように本発明は、上位装置から印刷データを順番を乱さないで送信でき、上位装置が滞るのを防止する画像形成装置及び画像形成システムを提供できるという効果を有する。
【発明を実施するための最良の形態】
【００１１】
（第１の実施の形態）
以下、本発明の第１の実施の形態について図面を用いて詳細に説明する。図１、図２、図３は、本発明に係るイメージスキャナ等の画像形成装置１及び上位端末（ホスト端末）２を備える画像形成システムの構成を示す説明図である。
【００１２】
図４の画像形成装置１の印刷用紙３には、用紙固有の識別情報を記録してある点線で示されたＲＦＩＤチップ３０１が埋め込まれ、予め枠線や共通事項が印刷されている。
【００１３】
通信部１０１は、ホスト端末２と通信を行い、ホスト端末２からのデータを受信し、データ判別部１０２に送る。また、データ判別部１０２は、ＲＦＩＤ読取部１０８から送られてくる用紙識別情報をホスト端末２に送信する。
【００１４】
データ判別部１０２は、通信部１０１から送られてきたデータを解析し、認証が不要な印刷データならば、画像形成部１０４Ａの印刷処理部１０４に送り、認証が必要ならば印刷データと認証情報とをデータ記憶部１０３に格納すると共に、判断部１０５に認証が必要なデータを受信したことを通知する。
【００１５】
データ記憶部１０３は、データ判別部１０２からの印刷データ及び認証情報を格納する。
【００１６】
印刷処理部１０４は、データ判別部１０２から送られてきた印刷データを基にして、画像処理や用紙の搬送、印字などの一連の印刷処理を行う。また、印刷処理部１０４では、判断部１０５からの認証印刷処理要求に従い、データ記憶部１０３に格納されている印刷データを基に一連の印刷処理を行う。
【００１７】
また、判別部１０５は、データ判断部１０２から認証が必要なデータを受信したことを通知されると、表示部１０６に認証が必要なデータを受信したことを表示させ、入力部１０７から認証開始命令を通知されるまで待機する。入力部１０７から認証開始命令が通知されると、ＲＦＩＤ読取部１０８に用紙識別情報読取を指示し、ＲＦＩＤ読取部１０８からの用紙識別情報と記憶部１０３とに格納されている認証情報を比較し、一致したら印刷処理部１０４に記憶部１０３に格納されている印刷データの印刷実行を要求する。
【００１８】
表示部１０６は、判断部１０５からの指示に従い、認証が必要なデータが受信したことを表示する。
【００１９】
入力部１０７は、印刷用紙３の固有識別情報の読取開始及び認証の開始を利用者が指示するボタンである。
【００２０】
ＲＦＩＤ読取部１０８は、判断部１０５の要求により、印刷用紙３のＲＦＩＤチップ３０１より固有識別情報を読み取り、判断部１０５に固有識別情報を送る。また、入力部１０７の要求により、印刷用紙３のＲＦＩＤチップ３０１より固有識別情報を読み取り、通信部１０１を介してホスト端末２に送信する。
【００２１】
図３は、ホスト端末２の構成を示すブロック図である。
【００２２】
通信部２０１は印刷装置１と通信を行い、印刷装置１からの印刷用紙３の固有識別情報を受信し、用紙固有識別情報格納部２０２に格納し、印刷用紙３の固有識別情報を受信したことを判断部２０３に通知する。また、印刷データ生成部２０８で生成された印刷データを印刷装置２に送信する。
【００２３】
用紙固有識別情報格納部２０２は、通信部２０１から送られる印刷用紙３の固有識別情報を格納する。
【００２４】
判別部２０３は、通信部２０１からの印刷用紙３の固有識別情報を受信したことが通知されると、用紙固有識別情報格納部２０２から、固有識別情報を読み出し、データ記憶部２０４に格納されている固有識別情報データベースから一致する固有識別情報があるかどうかを判断する。あるならば、データ記憶部２０４から、該当する記述情報を読み出し、表示装置２０５に記述情報を表示し、入力装置２０６の入力によって記述情報を編集する。入力装置２０６の入力によって、印刷指示が出されたときに、記述情報をデータ記憶部２０４に格納し、画像データ生成部２０８に画像データの生成を指示し、印刷データ生成部２０９に、印刷データの生成を指示する。また、入力装置２０６の入力によって、記述情報の保管を指示されると、記述情報をデータ記憶部２０４に格納する。
【００２５】
データ記憶部２０４は、固有識別情報データベースと、記述情報データベースを持つ。図５は、固有識別情報データベースの構成である。印刷用紙の固有識別情報と、ホスト端末側で管理する記述情報データベースの番号を参照する表である。図６は、記述情報データベースの表の一例である。各記述項目の他に、その項目が印刷されたかどうかを示す項目を持つ。図１２は、図６の情報を印刷した印刷用紙３の一例である。新規で作成された、又は追記された部分には最初は印刷がされていないという情報が記録される。
【００２６】
表示装置２０５は、ディスプレイである。入力装置２０６は、キーボードやマウスである。
【００２７】
画像データ生成部２０７は、判断部２０３から印刷指示を受けると、データ記憶部２０４の記述情報を参照し、印刷がまだされていない部分のみの画像データを生成し、印刷データ生成部２０８に送り、データ記憶部２０４の印刷の項目を更新する。図１３は、図７のデータから生成される画像データである。
【００２８】
印刷データ生成部２０８は、判断部２０３から印刷データ生成指示を受けると、用紙固有識別情報記憶部２０４から固有識別情報を読み出し、画像データ生成部２０７から送信された画像データと合成し、印刷データとして通信部２０１を介して印刷装置１に送信する。図８は、印刷データの構成を示すもので、プリンタに認証印刷を行わせる命令コードと、固有識別情報である認証情報と、画像データと、から成り立つ。
【００２９】
図３から図６を用いて、第１実施の形態の動作を説明する。図３は、第１実施の形態のホスト端末２の構成を示す。
【００３０】
利用者が、入力装置２０６を用いて固有識別情報の読取を要求すると、判断部２０３は、通信部２０１が固有識別情報を受信するのを待機する待機モードになる（ステップＳ１）。
【００３１】
次に、画像形成装置１は、通信部２０１が固有識別情報を受信するまでステップＳ２を繰り返す（ステップＳ２）。
【００３２】
ステップＳ２で固有識別情報を受信したら、通信部２０１は、用紙固有識別情報記憶部２０２に固有識別情報を格納し、判断部２０３に固有識別情報を受信したことを通知する（ステップＳ４）。
【００３３】
判断部２０３は、用紙固有識別情報記憶部２０２に格納された固有識別情報を読み出し、データ格納部２０４に格納されている固有識別情報データベースから固有識別情報を検索する（ステップＳ４）。
【００３４】
判断部２０３は、ステップＳ４で検索した結果、表があったかどうかを判定する（ステップＳ５）。
【００３５】
ステップＳ５で検索した結果、表があった場合、判断部２０３は表を参照し、該当する番号の記述情報データベースの表を読み出す（ステップＳ６）。
【００３６】
ステップＳ５で記述データがなかった場合、新規データとして、記述情報データベース上にエントリする（ステップＳ７）。
【００３７】
ステップＳ６で読み出したデータ又はステップS7で作成された新規データを利用者は編集する（ステップＳ８）。
【００３８】
利用者が編集を終了するまでステップＳ８を繰り返す（ステップＳ９）。
【００３９】
使用者は、編集が終了すると印刷を行うかどうかを入力装置２０６を使用して選択する（ステップＳ１０）。
【００４０】
ステップＳ１０で印刷を行うならば、判断部２０３は、編集を行った記述情報をデータ格納部２０４に格納する（ステップＳ１１）。
【００４１】
判断部２０３は、画像データ生成部２０７に画像データ生成を、印刷データ生成部２０８に印刷データ生成を指示し、指示を受けた画像データ生成部２０７は、データ格納部２０４からステップＳ１１で格納した記述情報を参照し、印刷を行っていない部分のみの画像データを生成し、印刷データ生成部２０８に送信する。印刷データ生成部２０８は、画像データ生成部２０７から送信された画像データと合成し、印刷データとして通信部２０１に送信する。通信部２０１は印刷装置１に印刷データを送信する。（ステップＳ１２）。
【００４２】
ステップＳ１０で印刷を行わないならば、使用者は、編集情報を保存するかどうかを入力装置２０６を使用して選択する（ステップＳ１３）。
【００４３】
ステップＳ１３で保存を行うならば、判断部２０３は、判断を行った記述情報をデータ格納部２０４に格納する（ステップＳ１４）。
【００４４】
ステップＳ１４で保存を行わないならば、そのまま終了する。
【００４５】
図１０は、第１実施の形態の印刷装置１の印刷用紙３の固有識別情報を読み取り動作を説明するための図である。
【００４６】
使用者は、ＲＦＩＤ読取部１０８に印刷用紙３をセットする（ステップS１５）。
【００４７】
印刷装置１は、利用者が入力部１０７を使用して、印刷用紙３の固有識別情報の読取を開始する指示を出すまで待機する（ステップS１６）。
【００４８】
ステップＳ１６で、読取開始指示を利用者が行うと、ＲＦＩＤ読取部１０８に印刷用紙３０１のＲＦＩＤチップ３０１から印刷用紙３０１の固有識別情報を読み取りを開始する（ステップＳ１７）。
【００４９】
ＲＦＩＤ読取部１０８は、印刷用紙３０１の固有識別情報の読み取りが成功したか否かを判断する（ステップＳ１８）。
【００５０】
ステップＳ１８で、印刷用紙３０１の固有識別情報の読み取りが成功していれば、ＲＦＩＤ読取部１０８は、通信部１０１を介して固有識別情報をホスト端末２に送信する（ステップＳ１９）。
【００５１】
ステップＳ１８で、固有識別情報の読取に失敗すれば、ステップＳ１９の動作を行わない。
【００５２】
図５は、第１実施の形態における印刷装置１の動作を説明したものである。
【００５３】
通信部１０１は、ホスト端末２からデータを受信し、データ判別部１０２に送る（ステップＳ３１）。
【００５４】
データ判別部１０２は、送信データがどのようなデータであるのか判別する（ステップＳ３２）。
【００５５】
ステップＳ３２で、送信データが固有識別情報部と印刷データ部とから成る場合、データ判別部１０２は、送信データを記憶部１０３に格納し、認証印刷データを受信したことを判別部１０５に通知する（ステップＳ３３）。
【００５６】
判別部１０５は、表示部１０６に認証待ちの表示を出すように指示を出し、表示部１０６は、認証待ちの表示を行う（ステップＳ３４）。
【００５７】
判断部１０５は、使用者が入力部１０７を使用して、認証開始の要求を行うまで待機する（ステップＳ３５）。
【００５８】
ＲＦＩＤ読取部１０８は、固有識別情報の読取が成功したか否か判断する（ステップＳ３７）。
【００５９】
ステップＳ３７で、固有識別情報の読取が成功したならば、RFID読取部１０８は固有識別情報を判断部１０５に送り、判断部１０５は記憶部１０３を参照し、受信した固有識別情報と読み取った固有識別情報とを比較する。
【００６０】
ステップＳ３７で、固有識別情報の読取に失敗したならば、ステップＳ３５に戻る。
【００６１】
ステップＳ３８は、比較した固有識別情報が一致したならば、判断部１０５は、印刷修理部１０４に記憶部１０３に格納されている印刷データの印刷処理を開始するように指示する。また、ステップＳ３２で認証を必要としない印刷データであった場合、印刷処理部１０４は、データ判別部１０２からの送信データの印刷処理を行う（ステップＳ３９）。
【００６２】
ステップＳ３８で、比較した固有識別情報が一致しなければ、ステップＳ３５に戻る。
【００６３】
図１４は、図１３の印刷データを図１２の用紙に印刷した出力結果である。
【００６４】
以上、第１実施の形態によれば、用紙の固有識別番号を用いて用紙の識別を行う構成にしたことにより、必要に応じて追記することのある用紙に印刷する場合においても、本来印刷すべき用紙に確実に印刷することが可能にある。
【００６５】
ここで、用紙の固有識別番号にはＲＦＩＤを用いたが、バーコードなどの他の手段を用いても同様の効果が得られる。
【００６６】
（第２の実施の形態）
第１実施の形態では、印刷装置に固有識別情報を読み取らせることにより、利用者は２度印刷装置に印刷用紙を持っていく必要があった。
【００６７】
図１５は、第２実施の形態の構成を示す図である。第１実施の形態と異なる部分についてのみ説明する。
【００６８】
ＲＦＩＤ読取装置４は、ホスト端末６と接続し、印刷用紙３のＲＦＩＤチップ３０１より印刷用紙３の固有識別情報を読み取り、ホスト端末６に送信する。
【００６９】
ホスト端末６は、印刷装置５及びＲＦＩＤ読取装置４と接続する。
【００７０】
図１６は、印刷装置５の構成を示す図である。第１実施の形態と異なる部分についてのみ説明する。
【００７１】
通信部５０１は、ホスト端末２と通信を行い、ホスト端末２からの印刷データを受信し、画像形成部１０４Ｂのデータ判別部１０２に送る。
【００７２】
入力部５０７は、認証の開始を利用者が指示するボタンである。
【００７３】
ＲＦＩＤ読取部５０８は、判断部５０５の要求により、印刷用紙３のＲＦＩＤチップ３０１より固有識別情報を読み取り、判断部５０５に固有識別情報を送る。
【００７４】
図１７は、ホスト端末６の構成を示す図である。第１実施の形態と異なる部分についてのみ説明する。
【００７５】
通信部６０１は印刷装置１と通信を行い、印刷装置から用紙の固有識別情報を受信し、用紙固有識別情報格納部２０２に格納し、用紙の固有識別情報を受信したことを判断部２０３に通知する。また、印刷データ生成部２０８で生成された印刷データを印刷装置５に送信する。
【００７６】
図１８は、第２実施の形態におけるホスト端末６の動作を説明するための図である。第１実施の形態と異なる箇所のみ説明する。
【００７７】
利用者が、入力装置２０６を用いて固有識別情報の読取を要求すると、判断部２０３は、通信部６０１がＲＦＩＤ読取装置から固有識別情報を受信するのを待機する待機モードになる（ステップＳ２１）。
【００７８】
通信部６０１がＲＦＩＤ読取装置４から固有識別情報を受信するまでステップＳ２を繰り返す（ステップＳ２２）。
【００７９】
ステップＳ２で固有識別情報を受信したら、通信部６０１は、用紙固有識別情報記憶部２０２に固有識別情報を格納し、判断部２０３に固有識別情報を受信したことを通知する（ステップＳ２３）。
【００８０】
以下、第１実施の形態における通信部２０１を通信部６０１と読み替える。
【００８１】
第２実施の形態における印刷装置５の動作は、第１実施の形態の動作に対して、通信部１０１を通信部５０１、ホスト端末２をホスト端末６、入力部１０７を入力部５０７、ＲＦＩＤ読取部１０８をＲＦＩＤ読取部５０８とそれぞれを読み替えれば良い。
【００８２】
以上、第２実施の形態によれば、ホスト端末側に固有識別情報読取装置を設けたことにより、データを参照するために印刷用紙を印刷装置へ持っていく必要がなくなるため、第１実施の形態と同様の効果得られる上に、第１実施の形態より利用者の利便性が高まる。
【００８３】
（第３実施の形態）
図１９は、第３実施の形態の構成を示す図である。第２実施の形態と異なる部分についてのみ説明する。
【００８４】
図２０は、印刷装置７の構成を示す図である。第２実施の形態と異なる部分についてのみ説明する。
【００８５】
記憶部７０３は、データ判別部１０２からの送信データを格納する。同時に、複数のデータを格納することが可能である。
【００８６】
印刷処理部７０４は、画像形成部１０４Ｃのデータ判別部１０２から送信された印刷データを基にして、画像処理や用紙の搬送、印字などの一連の印刷処理を行う。また、判断部７０５からの要求に従い、用紙の搬送や、データ記憶部７０３に格納されている複数の印刷データから、判断部７０５から指示された任意の印刷データを読み出し、そのデータを基に一連の印刷処理を行う。
【００８７】
判断部７０５は、データ判別部１０２から認証が必要なデータを受信したことを通知されると、表示部１０６に認証が必要なデータを受信したことを表示させ、入力部５０７から認証開始命令を通知されるまで待機する。
【００８８】
入力部５０７から認証開始命令が、通知されると、印刷処理部７０４に用紙の搬送を開始させ、ＲＦＩＤ読取部５０８に用紙識別情報読取を指示する。
【００８９】
ＲＦＩＤ読取部５０８から送信される用紙識別情報と記憶部５０３に格納されている認証情報を比較し、一致したものがある場合、該当する印刷データを記憶部７０３から読取印刷を行うように、印刷処理部７０４に要求する。一致しなかった場合、そのまま印刷を行わず、用紙の排出を行うように、印刷処理部７０４に指示する。
【００９０】
ＲＦＩＤ読取部７０８は、印刷処理部７０４の用紙搬送経路の途中にある。
【００９１】
図２４は、記憶部７０３に格納されるデータの一例である。ホスト端末６から複数送信された認証コード及び画像データから成る印刷データがそれぞれ格納されている。
【００９２】
図２５は、使用者が印刷装置７の用紙トレイにセットする用紙を示す。ここで、用紙の順番は、ホスト端末６から送信されたデータの順ではなく、また、印刷を行わない用紙も混入している。
【００９３】
図２６は、印刷結果を示す。認証コードに関連付けられた画像データが、同一の認証コードを持つ用紙に印刷され、印刷データが記憶部７０３に格納されていない用紙には印刷を行わない。
【００９４】
図２２は、第３実施の形態における印刷装置７の動作を説明したものである。第１実施の形態と異なる箇所のみを説明する。
【００９５】
ステップＳ３２で、データが固有識別情報部と印刷データ部とから成る場合、データ判別部１０２は、データを記憶部７０３に格納し、認証印刷データを受信したことを判断部７０５に通知する。このとき、データが記憶部７０３にすでに格納されている場合、順次追加する（ステップＳ４１）。
【００９６】
使用者が入力部７０７を使用して、認証開始の要求を行うか、ホスト端末６から印刷データを受信するまで待機する。ホスト端末６から印刷データを受信した際には、ステップＳ３２、Ｓ４１、Ｓ３４及びステップＳ４９の動作を行う（ステップＳ４３）。
【００９７】
ステップＳ４２で、使用者が認証開始の要求を行うと、判断部７０５は、印刷処理部７０４に用紙の搬送を開始させ、ＲＦＩＤ読取部７０８に印刷用紙の固有識別番号を読み取り動作を行わせる（ステップＳ４４）。
【００９８】
ステップＳ４４で、固有識別情報の読取が成功したならば、ＲＦＩＤ読取部７０８は、固有識別情報を判断部７０５に送信し、判断部７０５は、記憶部７０３を参照し、受信した固有識別情報と読み取った固有識別情報とを比較する（ステップＳ４５）。
【００９９】
ステップＳ３８では、比較した固有識別情報が一致したならば、判断部１０５は、印刷処理部１０４に記憶部１０３に格納されている印刷データの印刷処理を開始するように指示する（ステップＳ４６）。
【０１００】
ステップＳ４４で、固有識別情報の読取に失敗した場合、及びステップＳ４５において、比較した固有識別情報が一致しなければ、搬送を行っている用紙には印刷を行わず、そのまま排出する（ステップＳ４７）。
【０１０１】
判断部７０５は、記憶部７０３を参照し、認証印刷データが残っているかどうかを確認する。残っている場合、ステップＳ４２以下の動作を行う（ステップＳ４８）。
【０１０２】
ステップＳ３２で認証を必要としない印刷データである場合、印刷処理部７０４は、データ判別部１０２からの送信データの印刷処理を行う（ステップＳ４８）。
【０１０３】
以上、第３実施の形態によれば、印刷装置１の用紙搬送路に固有識別情報装置を設けたことにより、第２実施の形態と同様の効果を得られると共に、複数の印刷データに対して、一回の操作で印刷を行うことが可能になる。
【産業上の利用可能性】
【０１０４】
以上説明した本発明の実施の形態では、プリンタ装置について記述したが、複写機及びファクシミリやＭＦＰ装置に本発明の画像形成装置において利用することが可能である。
【図面の簡単な説明】
【０１０５】
【図１】本発明の第１の実施の形態における画像形成システムの構成を示す図である。
【図２】図１の画像形成装置（印刷装置）１の構成を示すブロック図である。
【図３】図１のホスト端末２の構成を示すブロック図である。
【図４】図１の印刷用紙３の構成を示す説明図である。
【図５】図３のデータ記憶部２０４に格納されている固有識別情報データベースを示す表である。
【図６】図３のデータ記憶部２０４に格納されている第１の記述情報データを示す表である。
【図７】図３のデータ記憶部２０４に格納されている第２の記述情報データを示す表である。
【図８】印刷データの構成を示す図である。
【図９】ホスト端末２の動作を示す説明図である。
【図１０】図１の画像形成装置（印刷装置）１における用紙固有識別情報読取の動作のフローチャートである。
【図１１】図１の画像形成装置（印刷装置）１の印刷時の動作のフローチャートである。
【図１２】印刷用紙３の印刷済みのものを示す図である。
【図１３】ホスト端末２から送信される印刷データを示す図である。
【図１４】画像形成装置（印刷装置）１の印刷結果を示す図である。
【図１５】本発明の第２の実施の形態における画像形成システムの構成を示す図である。
【図１６】図１５の画像形成装置（印刷装置）５の構成を示すブロック図である。
【図１７】図１５のホスト端末６の構成を示すブロック図である。
【図１８】図１５のホスト端末６の動作のフローチャートである。
【図１９】本発明の第３の実施の形態における画像形成システムの構成を示す図である。
【図２０】図１９の画像形成装置（印刷装置）７の構成を示すブロック図である。
【図２１】図１９の画像形成装置（印刷装置）７のフローチャート図である。
【図２２】図２１の続きのフローチャート図である。
【図２３】図２２の続きのフローチャートである。
【図２４】図２０の記憶部７０３に格納される印刷データを示す図である。
【図２５】図２０の画像形成装置（印刷装置）７のトレイにセットされる印刷用紙３を示す図である。
【図２６】図２５の出力結果を示す図である。
【符号の説明】
【０１０６】
１  画像形成装置（印刷装置）
２  ホスト端末
３  印刷用紙
４  ＲＦＩＤ読取装置
５  画像形成装置（印刷装置）
６  ホスト端末
７  画像形成装置（印刷装置）
１０１  通信部
１０２  データ判別部
１０３  記憶部
１０４  印刷処理部
１０４Ａ、１０４Ｂ、１０４Ｃ  画像形成部
１０５  判断部
１０６  表示部
１０７  入力部
１０８  ＲＦＩＤ読取部
２０１  通信部
２０２  用紙固有識別情報記憶部
２０３  判断部
２０４  データ記憶部
２０５  表示部
２０６  入力装置
２０７  画像データ生成部
２０８  印刷データ生成部
３０１  ＲＦＩＤチップ
５０１  通信部
５０７  入力部
５０８  ＲＦＩＤ読取部
７０３  記憶部
７０４  印刷処理部
７０５  判断部
７０８  ＲＦＩＤ読取部
【図１】
2007203701.tif 000003
【図２】
2007203701.tif 000004
【図３】
2007203701.tif 000005
【図４】
2007203701.tif 000006
【図５】
2007203701.tif 000007
【図６】
2007203701.tif 000008
【図７】
2007203701.tif 000009
【図８】
2007203701.tif 000010
【図９】
2007203701.tif 000011
【図１０】
2007203701.tif 000012
【図１１】
2007203701.tif 000013
【図１２】
2007203701.tif 000014
【図１３】
2007203701.tif 000015
【図１４】
2007203701.tif 000016
【図１５】
2007203701.tif 000017
【図１６】
2007203701.tif 000018
【図１７】
2007203701.tif 000019
【図１８】
2007203701.tif 000020
【図１９】
2007203701.tif 000021
【図２０】
2007203701.tif 000022
【図２１】
2007203701.tif 000023
【図２２】
2007203701.tif 000024
【図２３】
2007203701.tif 000025
【図２４】
2007203701.tif 000026
【図２５】
2007203701.tif 000027
【図２６】
2007203701.tif 000028